(57)【要約】【課題】引き戸と縁部部材の間の空隙における安定した騒音防止作用、遮煙作用を得ることができるエレベーターのドアー装置を実現する。【解決手段】出入口４の全閉時に縁部部材３と引き戸６との対向面に植毛７を設け、縁部部材３と引き戸４との間の空隙５幅を減少し通過空気量を抑制し騒音伝播を少なくすると共に遮煙作用を得る。また、出入口４の全閉時にシール材８によって空隙５を塞ぎ遮煙性能、気密性能を向上する効果を得る。しかも、植毛７による空気量抑制と相俟って、シール材８により隙間５通過空気流量が減少して騒音の空間伝播を防止し騒音を減少する。さらに、空隙５に植毛７及びシール材８を設けるので、シール材８の損耗、引き戸６の傾斜等により空隙５が直ちに開放せず、安定した騒音防止効果、遮煙効果を得る。【選択図】        図１
2004250157.tif 000002
【特許請求の範囲】
【請求項１】
出入口を形成する縁部部材と、この縁部部材の横断面方向において上記縁部部材との間に空隙を介して対向して配置され、上記縁部部材との対向面に沿って移動して上記出入口を開閉する引き戸と、上記出入口全閉時における上記引き戸及び縁部部材それぞれの対向面の両者の一方に設けられて、上記両者の他方に向かって立植されて上記空隙幅を減少する植毛と、上記両者の一方に設けられて上記両者の他方に向かって突設され、上記植毛位置よりも上記出入口の外側方向に離れた位置に配置されて上記空隙を閉塞するシール材とを備えたエレベーターのドアー装置。
【請求項２】
縁部部材を、出入口の下縁部を形成する敷居からなるものとし、引き戸の下端に設けられて上記敷居の案内溝に空隙を形成して嵌合され、一面に植毛が装備され他面にシール材が装備された遮蔽板を備えたことを特徴とする請求項１記載のエレベーターのドアー装置。
【請求項３】
縁部部材を、出入口の上縁部を形成する上枠からなるものとしたことを特徴とする請求項１記載のエレベーターのドアー装置。
【請求項４】
出入口を開閉する二枚両引き戸における引き戸と、上記出入口の全閉時における上記引き戸相互の対向端面の一方に設けられて他方に向かって立植され、上記対向端面の相互間に形成された空隙幅を減少する植毛と、上記対向端面の一方に設けられて他方に向かって突設され、上記植毛位置よりも上記出入口の外側方向に離れた位置に配置されて上記空隙を閉塞するシール材とを備えたエレベーターのドアー装置。
【請求項５】
出入口を開閉する二枚片引き戸における低速の引き戸及び高速の引き戸の両方と、上記出入口の全閉時の上記両方の重合部における一方に設けられて他方に向かって立植され、上記重合部の相互間に形成された空隙幅を減少する植毛と、上記両方の上記重合部における一方に設けられて他方に向かって突設され、上記植毛位置よりも上記重合部における戸幅端側に配置されて上記空隙を閉塞するシール材とを備えたエレベーターのドアー装置。
【請求項６】
植毛及びシール材を互いに離れて平行に配置したことを特徴する請求項１〜請求項５のいずれか一つに記載のエレベーターのドアー装置。
【請求項７】
植毛の毛立状態を乱立形態に変化させたことを特徴する請求項１〜請求項６のいずれか一つに記載のエレベーターのドアー装置。
【発明の詳細な説明】
【０００１】
【発明の属する技術分野】
この発明は、出入口を形成する縁部部材に対向して設けられた引き戸が移動して出入口を開閉するエレベーターのドアー装置に関する。
【０００２】
【従来の技術】
従来のエレベーターのドアー装置においては、引き戸によって乗場出入口、かご出入口がそれぞれ開閉される。すなわち、出入口を形成する縁部部材に対して、縁部部材の横断面方向において縁部部材との間に空隙を介して対向して引き戸が配置される。そして、引き戸が縁部部材との対向面に沿って移動して出入口を開閉する。
【０００３】
上記のような従来のエレベーターのドアー装置の構成では、引き戸と縁部部材の間の空隙から騒音がエレベーターのかご内に伝播したり、火災等の発煙がエレベーターの昇降路内に流入したりする。このような事象の対策として、引き戸と縁部部材の一方に植毛状のシールを設けて戸閉時において引き戸と縁部部材の間の空隙を塞いで騒音防止、遮煙作用を得るように構成にしている。（例えば、特許文献１参照）。
【０００４】
【特許文献  １】
特表２００２−５０８２９１号公報（段落番号００３８、Ｆｉｇ．１０ａ）
【０００５】
【発明が解決しようとする課題】
従来のエレベーターのドアー装置では、引き戸と縁部部材の間の空隙がシールによって塞がれるものの、シールが損耗したり引き戸が傾いたりしたときには、引き戸と縁部部材の間の空隙が開放状態となるため騒音防止作用、遮煙作用が損なわれるという問題点があった。
【０００６】
この発明は、かかる問題点を解消するためになされたものであり、引き戸と縁部部材の間の空隙における安定した騒音防止作用、遮煙作用を得ることができるエレベーターのドアー装置を得ることを目的とする。
【０００７】
【課題を解決するための手段】
この発明に係るエレベーターのドアー装置においては、出入口を形成する縁部部材と、この縁部部材の横断面方向において縁部部材との間に空隙を介して対向して配置され、縁部部材との対向面に沿って移動して出入口を開閉する引き戸と、出入口全閉時における引き戸及び縁部部材それぞれの対向面の両者の一方に設けられて、上記両者の他方に向かって立植されて空隙幅を減少する植毛と、上記両者の一方に設けられて上記両者の他方に向かって突設され、植毛位置よりも出入口の外側方向に離れた位置に配置されて空隙を閉塞するシール材とが設けられる。
【０００８】
【発明の実施の形態】
実施の形態１．
図１及び図２は、この発明の実施の形態の一例を示す図で、図１はエレベーター出入口を概念的に示す横断平面図、図２は図１のＡ部拡大図である。図において、昇降路に乗場１が設けられ、またかご２が昇降路を昇降し要時に乗場１に停止する。そして、縁部部材３によって形成された出入口４が乗場１及びかご２のそれぞれに設けられる。
【０００９】
また、縁部部材３の横断面方向において縁部部材３との間に空隙５を介して対向して引き戸６が配置され、引き戸６は縁部部材３との対向面に沿って移動して出入口４を開閉する。そして、出入口４全閉時における引き戸６と出入口４の側枠からなる縁部部材３との対向面に、植毛７が設けられて出入口４の中心寄りに配置され引き戸６に向かって立植されて空隙５幅を減少する。
【００１０】
なお、植毛７は静電植毛、毛羽だった材料、例えば絨毯などが付いている隙間塞ぎテープ等が使用される。
また、出入口４全閉時における引き戸６と出入口４の側枠からなる縁部部材３との対向面にシール材８が設けられて、植毛７から出入口４の外側方向に離れて配置され引き戸６に向かって突設されて空隙５を閉塞する。
【００１１】
なお、シール材８は高分子化合物のゴム、塩化ビニール等によって製作され、所要の接触圧力によって引き戸６に接触する。また、引き戸６におけるシール材８との接触面の摺動性を良くするために、接触面にフッ素コーティング、二硫化モリブデン等による低摩擦性能を有する表面処理が行われる。
【００１２】
上記のように構成されたエレベーターのドアー装置において、縁部部材３と引き戸６との間の空隙５幅はエレベーターの据付時に５ｍｍ程度に設定される。そして、引き戸６による出入口４の全閉時に縁部部材３の引き戸６との対向面に植毛７が配置されて空隙５幅が減少する。これによって、空隙５を通過する空気量を抑制することができて騒音を少なくすることができると共に、遮煙作用を得ることができる。
【００１３】
また、出入口４の全閉時に縁部部材３の引き戸６との空隙５がシール材８によって塞がれる。これにより、遮煙性能、気密性能を向上することができ植毛７による前述の作用とも相俟って、空隙５を通過する空気流量が減少して騒音の空間伝播を防止し低騒音化することができる。そして、出入口４の全閉時に縁部部材３の引き戸６との空隙５に植毛７及びシール材８が配置されるので、シール材８が損耗したり、引き戸６が傾いたりしたときであっても、空隙５が直ちに開放状態となることはなく、安定した騒音防止作用、遮煙作用を得ることができる。
【００１４】
なお、前述の植毛７を設けることによって空隙５を通過する空気流量が植毛７なしの場合と比較して減少する。すなわち発明者の実験によれば、例えば縁部部材３と引き戸６との空隙５幅が６ｍｍの場合に、長さ３ｍｍの植毛７を縁部部材３のみに設けたときに空気流量係数が２／５となり、また長さ３ｍｍの植毛７を縁部部材３及び引き戸６のそれぞれに設けたときに空気流量係数が１／１０となる。
【００１５】
また、植毛７を設けることによって空気流量を抑制することができるので、シール材８の引き戸６に対する接触圧力を低くすることがきて引き戸６の走行抵抗を減少することができる。このため、引き戸６の開閉動作を円滑化、静粛化することができる。また、更に静電容量を変化させて植毛作業することにより、植毛７の毛立状態を乱立状態とし、これにより、隙間５を通過する空気流量を有効に抑制することもできる。
【００１６】
実施の形態２．
図３は、この発明の他の実施の形態の一例を示す図で、前述の図２相当図である。なお、図３の他は前述の図１及び図２と同様にエレベーターのドアー装置が構成されている。図において、図１及び図２と同符号は相当部分を示し、遮蔽板９が設けられて一側が引き戸６の戸袋側の縁部に装着され、他側は空隙５を覆って配置される。そして、遮蔽板９の他側にシール材８が装着されて縁部部材３の反出入口４側の端面に対向して配置される。
【００１７】
上記のように構成されたエレベーターのドアー装置においても、引き戸６による出入口４の全閉時において縁部部材３の引き戸６との対向面に植毛７が配置されると共に、植毛７から出入口４の外側方向に離れた位置にシール材８が配置される。したがって、詳細な説明を省略するが図３の実施の形態においても図１及び図２の実施の形態と同様な作用が得られる。
【００１８】
実施の形態３．
図４も、この発明の他の実施の形態の一例を示す図で、前述の図１における引き戸の下端箇所の縦断側面図に相当する図である。図において、図１及び図２と同符号は相当部分を示し、前述の出入口４の下縁部を形成する敷居からなる縁部部材１０が設けられ、また縁部部材１０の上面に引き戸６の下端部を案内する案内溝１１が形成される。そして、引き戸６の下端に戸の脚の取付金具を兼用した遮蔽板１２が突設されて、出入口４幅に対応した長さに配置され案内溝１１に空隙を形成して嵌合される。
【００１９】
そして、遮蔽板１２の一面及びこの一面に対向した案内溝１１の側壁の一面の双者の一方に植毛７が設けられて上記双者の他方に向かって立植されて上記双者間の空隙幅を減少する。また、遮蔽板１２の他面及びこの他面に対向した案内溝１１の側壁の他面の双方の一方にシール材８が設けられて上記双方の他方に接触して配置されて上記双方の間の空隙を閉塞する。
【００２０】
上記のように構成されたエレベーターのドアー装置においても、引き戸６による出入口４の全閉時において出入口４の下縁部において縁部部材１０の案内溝１１と遮蔽板１２との間の空隙の一側に植毛７が、他側にシール材８が配置される。したがって、詳細な説明を省略するが図４の実施の形態においても出入口４の下縁部に関して図１及び図２の実施の形態と同様な作用が得られる。
【００２１】
実施の形態４．
図５及び図６も、この発明の他の実施の形態の一例を示す図で、図５は前述の図１における引き戸の上端箇所の縦断側面図に相当する図、図６は図５のＢ部拡大図である。なお、図５及び図６の他は前述の図１及び図２と同様にエレベーターのドアー装置が構成されている。図において、図１及び図２と同符号は相当部分を示し、前述の出入口４の上縁部を形成する上枠からなる縁部部材１３が設けられ、縁部部材１３との間に空隙５を介して対向して引き戸６が配置され、引き戸６は縁部部材１３面に沿って移動して出入口４を開閉する。
【００２２】
そして、縁部部材１３の引き戸６との対向面に植毛７が設けられて出入口４の上下方向の中心寄りに配置され、引き戸６に向かって立植されて空隙５幅を減少する。また、縁部部材１３の引き戸６との対向面にシール材８が設けられて、植毛７から出入口４の上側方向に離れて配置され引き戸６に向かって突設されて空隙５を閉塞する。
【００２３】
上記のように構成されたエレベーターのドアー装置においても、引き戸６による出入口４の全閉時において縁部部材１３の引き戸６との対向面に植毛７が配置されると共に、植毛７から出入口４の上側方向に離れた位置にシール材８が配置される。したがって、詳細な説明を省略するが図５及び図６の実施の形態においても図１及び図２の実施の形態と同様な作用が得られる。
【００２４】
実施の形態５．
図７も、この発明の他の実施の形態の一例を示す図で、前述の図６相当図である。図７の他は前述の図１及び図２と同様にエレベーターのドアー装置が構成されている。図において、図５及び図６と同符号は相当部分を示し、引き戸６の上端部に遮蔽板１４が装着されて空隙５を覆って配置される。そして、遮蔽板１４の縁部部材１３上端面との対向面にシール材８が設けられて、遮蔽板１４と縁部部材１３上端面の空隙を閉塞する。
【００２５】
上記のように構成されたエレベーターのドアー装置においても、引き戸６による出入口４の全閉時において縁部部材１３の引き戸６との対向面に植毛７が配置されると共に、植毛７から出入口４の上側方向に離れた位置にシール材８が配置される。したがって、詳細な説明を省略するが図７の実施の形態においても図１及び図２の実施の形態と同様な作用が得られる。
【００２６】
実施の形態６．
図８も、この発明の他の実施の形態の一例を示す図で、前述の図１のＣ部拡大図に相当する図である。なお、図８の他は前述の図１及び図２と同様にエレベーターのドアー装置が構成されている。図において、前述の図１及び図２と同符号は相当部分を示し、出入口４を開閉する二枚両引き戸の全閉時における引き戸６相互の対向端面の相互間に空隙５が形成される。
【００２７】
そして、二枚両引き戸の一側の引き戸６における二枚両引き戸の他側の引き戸６との対向端面に植毛７が設けられて他側の引き戸６の端面に向かって立植されて、出入口４の全閉時における空隙５幅を減少する。また、両側の引き戸６それぞれの対向端面に接続した縁部面にシール材８が装着され、出入口４の全閉時に両側の引き戸６それぞれのシール材８が相互に接して空隙５を閉塞する。
【００２８】
上記のように構成されたエレベーターのドアー装置においても、二枚両引き戸からなるエレベーターのドアー装置を形成した引き戸６が、出入口４を全閉したときの対向端面の相互間に植毛７が配置されると共に、植毛７から引き戸６の厚さ方向に離れた位置にシール材８が配置される。したがって、詳細な説明を省略するが図８の実施の形態においても図１及び図２の実施の形態と同様な作用が得られる。
【００２９】
実施の形態７．
図９も、この発明の他の実施の形態の一例を示す図で、前述の図１のＣ部拡大図に相当する図である。なお、図９の他は前述の図１及び図２と同様にエレベーターのドアー装置が構成されている。図において、前述の図１及び図２と同符号は相当部分を示し、出入口４を開閉する二枚片引き戸における低速の引き戸６と高速の引き戸１５による出入口４の全閉時における重合部の相互間に空隙５が形成される。
【００３０】
そして、低速の引き戸６における上記重合部面に植毛７が設けられて高速の引き戸１５の上記重合部面に向かって立植されて、出入口４の全閉時において空隙５幅を減少する。また、低速の引き戸６における上記重合部側の戸幅端位置にシール材８が装着され、出入口４の全閉時に高速の引き戸１５の上記重合部側の端面にシール材８が接して空隙５を閉塞する。
【００３１】
上記のように構成されたエレベーターのドアー装置においても、二枚片引き戸からなるエレベーターのドアー装置を形成した低速の引き戸６と高速の引き戸１５の全閉時における重合部に植毛７が配置されると共に、植毛７から低速の引き戸６幅方向に離れた位置にシール材８が配置される。したがって、詳細な説明を省略するが図９の実施の形態においても図１及び図２の実施の形態と同様な作用が得られる。
【００３２】
実施の形態８．
図１０も、この発明の他の実施の形態の一例を示す図で、前述の図９相当図である。なお、図１０の他は前述の図１及び図２と同様にエレベーターのドアー装置が構成されている。図において、前述の図９と同符号は相当部分を示し、低速の引き戸６の高速の引き戸１５との重合部における戸幅端の端面に遮蔽板１６の一側が装着され、また遮蔽板１６の他側は屈折されて高速の引き戸１５の重合部における表板の屈折部によって形成された溝状凹所に配置される。
【００３３】
そして、高速の引き戸１５の重合部における表板の屈折部によって形成された溝状凹所内にシール材８が装着されて、出入口４の全閉時に低速の引き戸６に設けられた遮蔽板１６の他側がシール材８に接して空隙５を閉塞する。
【００３４】
上記のように構成されたエレベーターのドアー装置においても、二枚片引き戸からなるエレベーターのドアー装置を形成した低速の引き戸６と高速の引き戸１５が出入口４を全閉したときに重合部に植毛７が配置されると共に、植毛７位置から離れた位置にシール材８が配置される。したがって、詳細な説明を省略するが図１０の実施の形態においても図１及び図２の実施の形態と同様な作用が得られる。
【００３５】
【発明の効果】
この発明は以上説明したように、出入口を形成する縁部部材と、この縁部部材の横断面方向において縁部部材との間に空隙を介して対向して配置され、縁部部材との対向面に沿って移動して出入口を開閉する引き戸と、出入口全閉時における引き戸及び縁部部材それぞれの対向面の両者の一方に設けられて、上記両者の他方に向かって立植されて空隙幅を減少する植毛と、上記両者の一方に設けられて上記両者の他方に向かって突設され、植毛位置よりも出入口の外側方向に離れた位置に配置されて空隙を閉塞するシール材とを設けたものである。
【００３６】
このような構成において、引き戸による出入口の全閉時に縁部部材と引き戸との対向面に植毛が配置され、縁部部材と引き戸との間の空隙幅が減少する。このため、空隙を通過する空気量を抑制することができて伝播する騒音を少なくすることができると共に遮煙作用を得ることができる。また、出入口の全閉時に縁部部材と引き戸との空隙がシール材によって塞がれるので、遮煙性能、気密性能を向上する効果を得ることができる。しかも、植毛によって空隙を通過する空気量を抑制する作用とも相俟って、隙間を通過する空気流量が減少して騒音の空間伝播を防止でき騒音を少なくする効果を得ることができる。さらに、出入口の全閉時に縁部部材と引き戸との空隙に植毛及びシール材が配置されるので、シール材が損耗したり、引き戸が傾いたりしたときであっても、空隙が直ちに開放状態となることがなく、安定した騒音防止効果、遮煙効果を得ることができる。
【図面の簡単な説明】
【図１】この発明の実施の形態１を示す図で、エレベーター出入口を概念的に示す横断平面図。
【図２】図１のＡ部拡大図。
【図３】この発明の実施の形態２を示す図で、前述の図２相当図。
【図４】この発明の実施の形態３を示す図で、前述の図１における引き戸の下端箇所の縦断側面図に相当する図。
【図５】この発明の実施の形態４を示す図で、前述の図１における引き戸の上端箇所の縦断側面図に相当する図。
【図６】図５のＢ部拡大図。
【図７】この発明の実施の形態５を示す図で、前述の図６相当図。
【図８】この発明の実施の形態６を示す図で、前述の図１のＣ部拡大図に相当する図。
【図９】この発明の実施の形態７を示す図で、前述の図１のＣ部拡大図に相当する図。
【図１０】この発明の実施の形態８を示す図で、前述の図９相当図。
【符号の説明】
３  縁部部材、４  出入口、５  空隙、６  引き戸（低速の引き戸）、７  植毛、８  シール材、１０  縁部部材、１２  遮蔽板、１５  高速の引き戸。
【図１】
2004250157.tif 000003
【図２】
2004250157.tif 000004
【図３】
2004250157.tif 000005
【図４】
2004250157.tif 000006
【図５】
2004250157.tif 000007
【図６】
2004250157.tif 000008
【図７】
2004250157.tif 000009
【図８】
2004250157.tif 000010
【図９】
2004250157.tif 000011
【図１０】
2004250157.tif 000012